(57)【要約】【課題】場面にマッチした色又は模様が施されうる指輪１の提供。【解決手段】指輪１１は、本体１３とキャップ１５とを備えている。本体１３は、リング１７とヘッド１９とからなる。リング１７とヘッド１９とは、一体的に成形されている。キャップ１５は、本体１３のヘッド１９に対して着脱自在である。キャップ１５には、塗装が施される。着用者が爪の色又は模様に応じた塗装を施すことにより、場面にマッチした指輪１１が得られる。複数のキャップ１５が用意され、これらが互いに異なる色又は模様に塗装されてもよい。爪の色又は模様に応じた塗装が施されたキャップ１５が選択されることにより、場面にマッチした指輪１１が得られる。塗装には、ネイル用塗料が好適である。キャップ１５には、孔２１が穿設されている。この孔２１に、ネイルピアス２３が取り付けられている。【選択図】  図２
2004215919.tif 000002
【特許請求の範囲】
【請求項１】
本体と、この本体に対して着脱自在であるキャップとを備えており、本体に取り付けられたときにキャップが本体を覆うように構成された装飾具。
【請求項２】
上記キャップが本体に取り付けられたときにこのキャップの下方にスペースが形成されて付属品の取り付けが可能となるように、本体及びキャップの形状が決定された請求項１に記載の装飾具。
【請求項３】
上記キャップが合成樹脂からなり、その厚みが０．２ｍｍ以上３．０ｍｍ以下である請求項１又は請求項２に記載の装飾具。
【請求項４】
本体と、この本体に対して着脱自在である複数のキャップとからなる装飾具用キット。
【請求項５】
本体と、この本体に対して着脱自在である複数のキャップとが準備される工程と、
これらキャップのそれぞれに、互いに異なる塗装が施される工程と
を含む装飾具用キットの製造方法。
【請求項６】
上記塗装が、ネイル用塗料によってなされる請求項５に記載の製造方法。
【発明の詳細な説明】
【０００１】
【発明の属する技術分野】
本発明は、指輪、ペンダントヘッド、ピアス、イヤリング、ヘアアクセサリー、ブローチ、ブレスレット、アンクレット等の装飾具に関する。
【０００２】
【従来の技術】
近年、ネイルペイントが流行しており、主として女性の注目を集めている。ネイルペイントでは、指の爪又はネイルチップ（付け爪）に塗装が施される。塗装により爪又はネイルチップ（以下「爪」とも総称される）は彩色され、又は模様が描かれる。多くの女性は、状況に応じ、又は気分に応じて、爪の色や模様を異ならせて楽しんでいる。爪の色及び模様に応じてこれにマッチする装飾具（典型的には指輪）を選択し、コーディネートを楽しむ者もいる。
【０００３】
【発明が解決しようとする課題】
爪の色及び模様は、種々のパターンがあり得る。全てのパターンにわたってこれにマッチする装飾具を揃えることは、経済的ではない。本発明の目的は、場面にマッチした色又は模様が施されうる装飾具の提供にある。
【０００４】
【課題を解決するための手段】
本発明に係る装飾具は、本体とこの本体に対して着脱自在であるキャップとを備えている。この装飾具は、キャップが本体に取り付けられたときにこのキャップが本体を覆うように構成されている。この装飾具では、キャップに塗装が施されうる。爪の色又は模様に応じた塗装が施されたキャップが取り付けられることにより、場面にマッチした色又は模様を備えた装飾具が得られる。
【０００５】
好ましくは、本体及びキャップは、このキャップが本体に取り付けられたときにこのキャップの下方にスペースが形成されて付属品の取り付けが可能となるように、その形状が決定される。この装飾具では、キャップに穿設された孔に、本体に妨げられることなく付属品が取り付けられうる。
【０００６】
好ましくは、キャップは合成樹脂からなり、その厚みは０．２ｍｍ以上３．０ｍｍ以下である。このキャップには、孔又は穴が形成されやすい。
【０００７】
他の発明に係る装飾具用キットは、本体と、この本体に対して着脱自在である複数のキャップとからなる。キャップごとに異なる塗装が施され、爪の色又は模様に応じた塗装が施されたキャップが選択されることにより、場面にマッチした装飾具が得られる。
【０００８】
さらに他の発明に係る装飾具用キットの製造方法は、以下の工程を含む。
（１）本体と、この本体に対して着脱自在である複数のキャップとが準備される
工程。
及び
（２）これらキャップのそれぞれに、互いに異なる塗装が施される工程。
この製造方法によって得られたキットにおいて、爪の色又は模様に応じた塗装が施されたキャップが選択されることにより、場面にマッチした装飾具が得られる。爪の色又は模様とのマッチングの観点から、塗装がネイル用塗料によってなされるのが好ましい。
【０００９】
【発明の実施の形態】
以下、適宜図面が参照されつつ、好ましい実施形態に基づいて本発明が詳細に説明される。
【００１０】
図１は、本発明の一実施形態に係る装飾具としての指輪１が示された分解断面図である。この指輪１は、本体３とキャップ５とを備えている。本体３は、リング７とヘッド９とからなる。リング７とヘッド９とは、一体的に成形されている。リング７には、この指輪１を付ける者の指が通される。ヘッド９は略半球状であり、その平面形状は円である。キャップ５は略腕状であり、その平面形状は円である。
【００１１】
リング７及びヘッド９の材質は特には制限されないが、ガラス、合成樹脂、金属、セラミック等が用いられうる。キャップ５は、通常は合成樹脂から形成される。キャップ５に好適な合成樹脂としては、ポリエチレン、ポリプロピレン、ポリ塩化ビニル、ポリアミド、エポキシ樹脂等が例示される。
【００１２】
キャップ５は、本体３のヘッド９に対して着脱自在である。取り付けには、両面テープ、ネイルチップ用接着剤、面ファスナー、スナップ等が用いられうる。キャップ５が本体３に取り付けられることにより、キャップ５によって本体３が覆われる。換言すれば、キャップ５によって、上方からは本体３は実質的には見えない。この指輪１は、キャップ５がはずされた状態で用いられてもよく、キャップ５が取り付けられた状態で用いられてもよい。
【００１３】
キャップ５には、塗装が施される。着用者が爪の色又は模様に応じた塗装を施すことにより、場面にマッチした指輪１が得られる。塗装はネイルサロンでなされてもよく、着用者自らが行ってもよい。本体３と複数のキャップ５とからなるキットが用意され、キャップ５ごとに色又は模様が互いに異なる塗装が施されてもよい。複数のキャップ５の中から爪の色又は模様にマッチしたキャップ５が選択され、これが本体３に装着される。爪とのマッチングの観点から、ネイル用塗料によってキャップ５に塗装が施されるのが好ましい。ネイル用塗料は除去も容易なので、単一のキャップ５が異なる色目に着色されうる。ネイル用塗料とともに、粒状体、粉体、微小装飾体等が用いられ、キャップ５が飾られてもよい。塗装の色目への悪影響防止の観点から、キャップ５の地色は無色、白色、乳白色等が好ましい。
【００１４】
図２は、本発明の他の実施形態に係る装飾具としての指輪１１が示された断面図である。この指輪１１は、本体１３とキャップ１５とを備えている。本体１３はリング１７とヘッド１９とからなり、その形状は図１の指輪１の本体３と同等である。キャップ１５の周縁近傍には、孔２１が穿設がされている。この指輪１１では、キャップ１５は本体１３に対して着脱自在である。爪の色又は模様に応じた塗装が施されたキャップ１５が、本体１３に取り付けられうる。
【００１５】
この指輪１１のキャップ１５の周縁近傍は、本体１３から離間している。換言すれば、キャップ１５が本体１３に取り付けられた状態において、このキャップ１５の下方にスペースが形成されている。この指輪１１では、本体１３に妨げられることなく、孔２１に付属品の取り付けが可能である。図２の例では、付属品としてネイルピアス２３が取り付けられている。ネイルピアス２３は、取り替え可能である。場面に応じたネイルピアス２３の取り付けにより、指輪１１の美観が向上する。キャップ１５が合成樹脂から形成されておれば、孔２１の穿設が容易である。
【００１６】
穿設の容易の観点及びキャップ１５の強度の観点から、キャップ１５の厚みは０．２ｍｍ以上３．０ｍｍ以下が好ましく、０．２ｍｍ以上２．０ｍｍ以下が特に好ましい。
【００１７】
図３は、本発明のさらに他の実施形態に係る装飾具としての指輪２５が示された断面図である。この指輪２５は、本体２７とキャップ２９とを備えている。本体２７は、リング３１とヘッド３３とからなる。キャップ２９は円盤状である。この指輪２５では、キャップ２９は本体２７に対して着脱自在である。爪の色又は模様に応じた塗装が施されたキャップ２９が、本体２７に取り付けられうる。
【００１８】
この指輪２５では、キャップ２９の側壁に穴３５が形成されている。この穴３５には、付属品３７が取り付けられている。付属品３７は、取り替え可能である。場面に応じた付属品３７の取り付けにより、指輪２５の美観が向上する。キャップ２９が合成樹脂から形成されれば、穴３５の穿設が容易である。この指輪２５では、キャップ２９の周縁の下方にスペースが形成されている。この指輪２９でも、図２の指輪１１と同様にキャップ２９に孔２１が穿設され、この孔２１にネイルピアス２３等の付属品が取り付けられうる。図３の穴３５と同様の穴が図２に示されたキャップ１５に穿設され、この穴に付属品が取り付けられてもよい。
【００１９】
キャップ２９の平面形状は、円には限られない。楕円、矩形、星形、ハート形等の種々の形状が採用されうる。
【００２０】
図４は、本発明のさらに他の実施形態に係る装飾具としての指輪３９が示された分解部分断面図である。この指輪３９は、本体４１とキャップ４３とを備えている。本体４１は、リング４５と雄ねじ部４７とからなる。キャップ４３は半球状であり、雌ねじ部４９を備えている。この指輪３９では、キャップ４３は本体４１に対して着脱自在である。雄ねじ部４７が雌ねじ部４９に螺入されることで、キャップ４３が本体４１へ取り付けられる。キャップ４３には、塗装が施される。爪の色又は模様に応じた塗装が施されたキャップ４３が本体４１に取り付けられることで、場面にマッチした指輪３９が得られる。
【００２１】
以上、指輪が一例とされて本発明が詳説されたが、指輪以外の装飾具においても、本体に対して着脱自在なキャップが採用されることにより、爪とのマッチングが達成されうる。
【００２２】
【発明の効果】
以上説明されたように、本発明に係る装飾具では、場面に応じて爪とのマッチングが達成されうる。この装飾具は、着用者の趣味感を満足させる。この装飾具は、経済的である。
【図面の簡単な説明】
【図１】図１は、本発明の一実施形態に係る装飾具としての指輪が示された分解断面図である。
【図２】図２は、本発明の他の実施形態に係る装飾具としての指輪が示された断面図である。
【図３】図３は、本発明のさらに他の実施形態に係る装飾具としての指輪が示された断面図である。
【図４】図４は、本発明のさらに他の実施形態に係る装飾具としての指輪が示された分解部分断面図である。
【符号の説明】
１、１１、２５、３９・・・指輪
３、１３、２７、４１・・・本体
５、１５、２９、４３・・・キャップ
７、１７、３１、４５・・・リング
９、１９、３３・・・ヘッド
２１・・・孔
２３・・・ネイルピアス
３５・・・穴
３７・・・付属品
４７・・・雄ねじ部
４９・・・雌ねじ部
【図１】
2004215919.tif 000003
【図２】
2004215919.tif 000004
【図３】
2004215919.tif 000005
【図４】
2004215919.tif 000006